(57)【要約】【課題】製造コストの上昇を抑えつつ、色モアレを低減することができる立体映像表示装置を提供する。【解決手段】画素１０は、異なる色の光を発する複数のサブピクセルで構成されている。サブピクセル光学素子１１は、画素１０を構成する複数のサブピクセルから発せられた光を合成する。レンズアレーは、サブピクセル光学素子１１によって合成された光を集光し立体映像を形成する複数のレンズ１５で構成されている。画素１０を構成する複数のサブピクセルから発せられた光を合成するサブピクセル光学素子１１を備えることによって、製造コストの上昇を抑えつつ、色モアレを低減することができる。【選択図】図１
2009204930.tif 000002
【特許請求の範囲】
【請求項１】
異なる色の光を発する複数のサブピクセルで構成された画素と、
前記画素を構成する前記複数のサブピクセルから発せられた光を合成する光学素子と、
前記光学素子によって合成された光を集光し立体映像を形成する複数のレンズで構成されたレンズアレーと、
を備えたことを特徴とする立体映像表示装置。
【請求項２】
前記光学素子は、前記画素を構成する前記複数のサブピクセルから発せられた光が入射する第１の端面と、入射した光を反射する側面と、前記側面で反射されながら進行した光が出射する第２の端面とを備えることを特徴とする請求項１に記載の立体映像表示装置。
【請求項３】
前記光学素子は、前記画素を構成する前記複数のサブピクセルのうち少なくとも１つから発せられた光を屈折させる素子であることを特徴とする請求項１に記載の立体映像表示装置。
【請求項４】
前記光学素子は凸レンズであることを特徴とする請求項３に記載の立体映像表示装置。
【請求項５】
前記光学素子は、前記画素を構成する前記複数のサブピクセルから発せられた光が蛇行しながら進行するような屈折率分布を有する屈折率分布レンズであることを特徴とする請求項１に記載の立体映像表示装置。
【請求項６】
前記光学素子は、前記画素を構成する前記複数のサブピクセルのうち少なくとも１つから発せられた光を回折させる素子であることを特徴とする請求項１に記載の立体映像表示装置。
【請求項７】
前記光学素子によって合成された光を拡散する特性を有する素子をさらに備えたことを特徴とする請求項１に記載の立体映像表示装置。
【請求項８】
前記光学素子において、前記画素を構成する前記複数のサブピクセルから発せられた光を合成した光が出射する端面が、光を拡散する特性を有することを特徴とする請求項１に記載の立体映像表示装置。
【発明の詳細な説明】
【技術分野】
【０００１】
本発明は、レンズアレーを利用して立体映像を表示する立体映像表示装置に関する。
【背景技術】
【０００２】
高精細かつ大画面の映像の普及と共に、より高臨場感な映像表現が可能な立体映像技術のニーズも高まっている。特に、観察時に特別な眼鏡などを必要とせず、視覚疲労が少なく、裸眼で観察できる立体映像に対する期待は大きい。その表示方法として、ホログラフィやインテグラル式などが知られている。ホログラフィは膨大な干渉縞情報が必要なため、実用化のための技術的なハードルは高い。一方、インテグラル式では超高精細な映像を応用することで、徐々に実用化の可能性が示されつつある（例えば非特許文献１，２参照）。
【０００３】
図７および図８はインテグラル立体映像表示装置の概要を示している。図７に示すように、複数のレンズ（要素レンズ）で構成されたレンズアレー７１を撮像素子の撮像面７０の前方に配置し被写体７２を撮像すると、各レンズを通して撮影された被写体７２の像（要素画像）が、レンズの数と同じだけ撮影される。図８に示すように表示時には、直視型表示装置８０の表示面側にレンズアレー８１が配置されており、表示面には被写体７２の要素画像群が表示されている。また、１個のレンズに対して１つの要素画像が対応し、その間隔はおおよそレンズの焦点距離である。この表示方法により、撮影時と同様な光が再現され、被写体７２と同様の位置に光が結像し、立体映像８２が表示される。
【０００４】
インテグラル式では、投射型ディスプレイを用いて高精細な要素画像を表示し、視域の拡大に成功している。現在は、超高精細な映像を表示するには、投射型ディスプレイが唯一の手段であるが、それ故に、投射映像のレンズ歪みなどが立体像の歪みを引き起こすといった課題がある。将来的には、超高精細な直視型によるインテグラル立体表示が理想であり、装置の小型化等にも非常に有利である。
【０００５】
しかしながら、インテグラル立体像を直視型ディスプレイに立体表示する場合、色モアレが生じる。図９に示すように、直視型表示装置の１つの画素９０は、赤（Ｒ）、緑（Ｇ）、青（Ｂ）の各色の光を発する３つのサブピクセルで構成されている。立体映像の観察者９２は、レンズアレーを構成する各レンズ９１を介して１つのサブピクセルのみを観察することになる。この結果、観察者には、赤、緑、青の色が混合されず、分離して見えるため、いわゆる色モアレとなる。将来の家庭用途を想定すると、直視型が有望であるため、この色モアレの低減が必要である。
【０００６】
上記の色モアレを低減する従来の手法には以下のようなものがある。例えば、映像表示面とレンズアレーとの間に、各画素間のブラックマトリクスを目立たなくするために拡散板を挟み、その拡散板に対して、各画素間のブラックマトリクスに沿って、斜辺に入射する光を全反射する角度で切込みを入れることによって、画素同士の色の混ざり合いを低減しつつ各サブピクセルからの光を混合する方法がある（特許文献１参照）。また、３つのサブピクセルに対して、２枚の拡散板と光学障壁を用いて各サブピクセルからの光を混合する手法もある（特許文献２参照）。
【特許文献１】特開２００６−２１５３３７号公報
【特許文献２】特開２００２−２２８９７４号公報
【非特許文献１】Jun ARAI, Makoto.Okui, Takayuki Yamashita, and Fumio Okano, "Integral three-dimensional television using a 2000-scanning video system," Applied Optics, Vol. 45, No. 8, pp. 1704-1712 (2006)
【非特許文献２】洗井淳、河北真宏、佐々木久幸、山下誉行、岡野文男、“超高精細映像システムを用いたインテグラル立体テレビ”、NHK技研R&D、N0.104、7月、pp.20-27 (2007)
【発明の開示】
【発明が解決しようとする課題】
【０００７】
上記のように、従来の立体映像表示装置では色モアレの低減が必要であり、色モアレを低減する手法が特許文献１，２に記載されている。しかしながら、特許文献１に記載された手法では、拡散板に対して、ブラックマトリクスに沿って、斜辺に入射する光を全反射する角度を持つ切込みを入れることは困難であり、製造コストの上昇が予想される。また、特許文献２に記載された手法では、光学障壁の作製に高度な技術が必要であり、同様に製造コストの上昇が予想される。
【０００８】
本発明は、上述した課題に鑑みてなされたものであって、従来技術とは異なる方法により、製造コストの上昇を抑えつつ、色モアレを低減することができる立体映像表示装置を提供することを目的とする。
【課題を解決するための手段】
【０００９】
本発明は、上記の課題を解決するためになされたもので、異なる色の光を発する複数のサブピクセルで構成された画素と、前記画素を構成する前記複数のサブピクセルから発せられた光を合成する光学素子と、前記光学素子によって合成された光を集光し立体映像を形成する複数のレンズで構成されたレンズアレーとを備えたことを特徴とする立体映像表示装置である。
【００１０】
また、本発明の立体映像表示装置において、前記光学素子（図２の筒状光学素子２１に対応）は、前記画素を構成する前記複数のサブピクセルから発せられた光が入射する第１の端面と、入射した光を反射する側面と、前記側面で反射されながら進行した光が出射する第２の端面とを備えることを特徴とする。
【００１１】
また、本発明の立体映像表示装置において、前記光学素子（図３の凸レンズ３１、図５の屈折光学素子５１に対応）は、前記画素を構成する前記複数のサブピクセルのうち少なくとも１つから発せられた光を屈折させる素子であることを特徴とする。
【００１２】
また、本発明の立体映像表示装置において、前記光学素子は凸レンズ（図３の凸レンズ３１に対応）であることを特徴とする。
【００１３】
また、本発明の立体映像表示装置において、前記光学素子（図４の屈折率分布レンズ４１に対応）は、前記画素を構成する前記複数のサブピクセルから発せられた光が蛇行しながら進行するような屈折率分布を有する屈折率分布レンズであることを特徴とする。
【００１４】
また、本発明の立体映像表示装置において、前記光学素子（図６の回折光学素子６１，６２，６３に対応）は、前記画素を構成する前記複数のサブピクセルのうち少なくとも１つから発せられた光を回折させる素子であることを特徴とする。
【００１５】
また、本発明の立体映像表示装置において、前記光学素子によって合成された光を拡散する特性を有する素子をさらに備えたことを特徴とする。
【００１６】
また、本発明の立体映像表示装置では、前記光学素子において、前記画素を構成する前記複数のサブピクセルから発せられた光を合成した光が出射する端面が、光を拡散する特性を有することを特徴とする。
【００１７】
上記において、括弧で括った部分の記述は、後述する本発明の実施形態と本発明の構成要素とを便宜的に対応付けるためのものであり、この記述によって本発明の内容が限定されるわけではない。
【発明の効果】
【００１８】
本発明によれば、画素を構成する複数のサブピクセルから発せられた光を合成する光学素子を備えることによって、製造コストの上昇を抑えつつ、色モアレを低減することができるという効果が得られる。
【発明を実施するための最良の形態】
【００１９】
以下、図面を参照し、本発明の実施形態を説明する。
【００２０】
（各実施形態の共通構成）
まず、以下で説明する各実施形態に共通する構成を説明する。図１は立体映像表示装置の構成（断面構成）を示している。図１では、繰り返し配置される構造の一部のみが示されており、残りの部分は図示を省略している。１つの画素１０は、赤（Ｒ）、緑（Ｇ）、青（Ｂ）の各色の光を発する３つのサブピクセルで構成されている。実際には、２次元方向に複数の画素１０が配置されている。
【００２１】
画素１０に対向して、筒形や直方体形状等の形状を有するサブピクセル合成光学素子１１が配置されている。１つの画素１０に対して１つのサブピクセル合成光学素子１１が対応して配置されており、各サブピクセルより発せられた光１２が、画素１０と対向するサブピクセル合成光学素子１１の一方の端面（図１内の右側の端面）に入射する。この場合、映像の１画素を構成する全てのサブピクセルからの光が１つのサブピクセル合成光学素子１１で集光される。
【００２２】
サブピクセル合成光学素子１１として、透明光学素子、ファイバープレート、凸レンズ、フレネルレンズ、プリズム、屈折率分布レンズ、回折光学素子などが使用できる。また、サブピクセル合成光学素子１１の側面（図１内の上側および下側の端面）に黒色のインクなどを塗布して遮光することにより、隣の画素への漏れ光をより抑える効果を得ることもできる。サブピクセル合成光学素子１１に入射した光は、側面で反射されながら、図１内の左方向へ進行する。これによって、サブピクセル合成光学素子１１内で各サブピクセルからの光が合成される。
【００２３】
サブピクセル合成光学素子１１のもう一方の端面（図１内の左側の端面）に対向して、光を拡散する特性を有する拡散性光学素子１３が配置されている。この場合、拡散性光学素子１３は、各サブピクセルからの光が合成する位置に配置される。サブピクセル合成光学素子１１内を進行した光１４はサブピクセル合成光学素子１１の端面から出射され、拡散性光学素子１３へ照射される。拡散性光学素子１３に入射した光は、拡散性光学素子１３によって拡散され、レンズアレーを構成するレンズ１５に入射する。レンズ１５によって集光された光が結像し、立体映像が形成される。
【００２４】
上記では拡散性光学素子１３が配置されているが、これに代えて、サブピクセル合成光学素子１１の端面の位置を各サブピクセルからの光が合成する位置に設定し、サブピクセル合成光学素子１１の端面を拡散処理することでも同様の効果を得ることが可能である。
【００２５】
上記のように、画素を構成する複数のサブピクセルから発せられた光を合成する光学素子を備えることによって、色モアレを低減することができる。また、製造が容易なサブピクセル合成光学素子１１を画素１０の表面に配置するだけでよいので、製造コストの上昇を抑えることができる。
【００２６】
（第１の実施形態）
次に、本発明の第１の実施形態を説明する。図２は、本実施形態による立体映像表示装置の構成を示している。図２ではレンズアレーの図示を省略している。また、図２では一部の画素に関する構造のみを図示している。画素２０に対向して、サブピクセル合成光学素子としての筒状光学素子２１が配置されている。１つの画素２０に対して１つの筒状光学素子２１が対応して配置されており、各サブピクセルより発せられた光２２が、画素２０と対向する筒状光学素子２１の一方の端面（図２内の右側の端面）に入射する。
【００２７】
この筒状光学素子２１は、例えばガラスやプラスチックなど、光透過率のよい光学材料で構成すればよい。また、筒状光学素子２１は、サブピクセルの形状や配列などに応じて直方体のような形状にすることも可能である。この筒状光学素子２１は、光を多重反射させることで合成する、いわゆるインテグレータの役割を果たすものであればよい。つまり、各サブピクセルからの光は、側面で反射を繰り返す間に合成される。
【００２８】
筒状光学素子２１のもう一方の端面（図２内の左側の端面）に対向して、拡散性光学素子２３が配置されている。筒状光学素子２１内を進行した光２４は筒状光学素子２１の端面から出射され、拡散性光学素子２３へ照射される。拡散性光学素子２３に入射した光は、拡散性光学素子２３によって拡散される。
【００２９】
サブピクセルの発散角θは、直視型ディスプレイにおけるバックライトの光の拡散度合いにより制御できる。もしくは、サブピクセルの表面に拡散性のフィルムを挿入することでも発散角θを制御できる。筒状光学素子２１内において、壁面に入射するサブピクセルからの光の角度を臨界角度以上になるように調整すれば、隣の画素への光の漏れによるクロストークを防ぐことができ、拡散性光学素子２３に光を効率良く導くことができる。つまり、サブピクセルからの光の発散角や筒状光学素子２１の屈折率を調整することで、光伝搬効率を最適化することができる。また、前述の通り、筒状光学素子２１の側面に黒色のインクなどを塗布して遮光すれば、隣の画素への漏れ光をより抑えることもできる。また、筒状光学素子２１の拡散性光学素子２３側の端面を、拡散特性を持つように加工し、拡散性光学素子２３の代わりとしてもよい。
【００３０】
サブピクセル間のピッチをＰ、画素間のピッチをＭ、光２２の発散角をθとすると、筒状光学素子２１の長さＬは以下の（１）式を満たせばよい。筒状光学素子２１の長さＬが（１）式を満たす場合、筒状光学素子２１の拡散性光学素子２３側の端面において、各サブピクセルからの３色の光が重なり合う領域と筒状光学素子２１の端面の大きさとが同じになる。
Ｌ≧（３Ｐ＋Ｍ／2）／tanθ  ・・・（１）
【００３１】
上記のように筒状光学素子２１を備えることによって、色モアレを低減することができる。また、筒状光学素子２１を画素２０の表面に配置するだけでよいので、製造コストの上昇を抑えることができる。
【００３２】
筒状光学素子２１は、基本的に単なるガラス柱でもよいし、光ファイバーを多く集積した、いわゆるファイバープレートでもよい。ファイバープレートの端面に拡散処理を施し、それを画素構造に合わせてディスプレイ表面に張り付けることによって、シンプルな構造を実現することができる。また、ガラス基板に溝を形成する加工によっても、本実施形態のサブピクセル合成光学素子を形成することが可能である。
【００３３】
（第２の実施形態）
次に、本発明の第２の実施形態を説明する。図３は、本実施形態による立体映像表示装置の構成を示している。図３ではレンズアレーの図示を省略している。また、図３では１つの画素に関する構造のみを図示している。画素３０に対向して、サブピクセル合成光学素子としての凸レンズ３１が配置されている。１つの画素３０に対して１つの凸レンズ３１が対応して配置されており、各サブピクセルより発せられた光３２が凸レンズ３１に入射する。
【００３４】
凸レンズ３１がない場合（図１０）、各サブピクセルからの光３２は拡散するが、図３のように凸レンズ３１を配置すれば、凸レンズ３１の屈折作用によりその拡散方向が制御される。凸レンズ３１からその焦点距離ｆだけ離れた場所で光３２が合成されるため、その場所に拡散性光学素子３３を配置することで、合成された光が発散される。
【００３５】
凸レンズ３１によって合成された光が１画素の大きさより狭い範囲に合成される場合には、拡散性光学素子３３から発せられた拡散光が十分に広がった先に、さらに第２の拡散性光学素子を配置して拡散性を高めてもよい。また、画素間で拡散光が重なるクロストークを避けるため、第２の拡散性光学素子からその焦点距離だけ離れた位置に第２のレンズを配置してもよい。
【００３６】
上記のように凸レンズ３１を備えることによって、色モアレを低減することができる。また、本実施形態は、画素サイズと同じサイズのマイクロレンズを画素配列に合わせて配列したマイクロレンズアレイ板をディスプレイ表面に貼り付けることで実現できるため、その製作は容易である。画素に対応したレンズには、モールド方法により作製されたガラスやアクリルレンズアレー、インクジェットにより作製されたレンズアレーも利用できるため、製作コストが非常に安くなる。
【００３７】
また、本実施形態では凸レンズやフレネルレンズ、回折レンズなどが使用できる。画素配列が、横方向にＲ，Ｇ，Ｂと分かれたサブピクセル構造である場合には、色が分離している横方向のみに曲率がある蒲鉾状のレンズで構成された、いわゆるレンチキュラレンズも使用可能である。
【００３８】
（第３の実施形態）
次に、本発明の第３の実施形態を説明する。図４は、本実施形態による立体映像表示装置の構成を示している。図４ではレンズアレーの図示を省略している。また、図４では１つの画素に関する構造のみを図示している。画素４０に対向して、サブピクセル合成光学素子としての屈折率分布レンズ４１が配置されている。１つの画素４０に対して１つの屈折率分布レンズ４１が対応して配置されており、各サブピクセルより発せられた光４２が、画素４０と対向する屈折率分布レンズ４１の一方の端面（図４内の右側の端面）に入射する。
【００３９】
屈折率分布レンズ４１は、半径方向に屈折率が変化するファイバー状のレンズである。具体的には、以下の（２）式に示すように、屈折率分布レンズ４１は、半径方向に屈折率が変化し、中心で屈折率が最大となり、外側ほど２乗則に従って屈折率が減少する（言い換えると、外側から中心へ向かって屈折率が増加する）特性を有する。ただし、ｎ０は中心軸上の屈折率、Ａは材料によって定まる屈折率分布定数、ｒは中心からの半径方向の距離である。
【００４０】
【数１】
2009204930.tif 000003
【００４１】
屈折率分布レンズ４１の長さを、レンズ内を蛇行する光路の周期の１／４倍とすれば、屈折率分布レンズ４１の端面に光が収束し、凸レンズを用いた第３の実施形態と同様の効果が得られる。この屈折率分布レンズ４１内では、光が蛇行しながら進行するという性質により、隣の画素からの光の漏れを大きく低減することができる。もちろん、サブピクセルからの光の発散角の制御や、レンズ間の材質の屈折率の制御、遮光により漏れ光を抑えることもできる。また、前述の通り、屈折率分布レンズ４１の側面に黒色のインクなどを塗布すれば、隣の画素への漏れ光をより抑えることもできる。
【００４２】
屈折率分布レンズ４１の、光が出射する端面（図４内の左側の端面）に対向して、拡散性光学素子４３が配置されている。屈折率分布レンズ４１内を進行した光４４は屈折率分布レンズ４１の端面から出射され、拡散性光学素子４３へ照射される。拡散性光学素子４３に入射した光は、拡散性光学素子４３によって拡散される。
【００４３】
上記のように屈折率分布レンズ４１を備えることによって、色モアレを低減することができる。また、屈折率分布レンズ４１を画素４０の表面に配置するだけでよいので、製造コストの上昇を抑えることができる。
【００４４】
拡散性光学素子４３の代わりとして、屈折率分布レンズ４１の拡散性光学素子４３側の端面を、拡散特性を持つよう加工してもよい。この場合には、画素構造と同じ配列の屈折率分布レンズアレー板を形成し、その端面を拡散処理した後、ディスプレイ表面に貼るだけでよいため、作製が容易である。
【００４５】
（第４の実施形態）
次に、本発明の第４の実施形態を説明する。図５は、本実施形態による立体映像表示装置の構成を示している。図５ではレンズアレーの図示を省略している。また、図５では１つの画素に関する構造のみを図示している。画素５０に対向して、サブピクセル合成光学素子としての屈折光学素子５１が配置されている。１つの画素５０に対して１つの屈折光学素子５１が対応して配置されており、各サブピクセルより発せられた光５２が屈折光学素子５１に入射する。
【００４６】
屈折光学素子５１の屈折作用により、赤（Ｒ）および青（Ｂ）のサブピクセルからの光は中心方向へ照射角度を変え、緑（Ｇ）のサブピクセルからの光はそのまま直進し、屈折光学素子５１から所定距離だけ離れた位置でそれらの光が合成される。図５では、３つのサブピクセルに対応した１つの屈折光学素子５１が配置されているが、赤（Ｒ）のサブピクセルのみに対応した１つの屈折光学素子を配置すると共に、青（Ｂ）のサブピクセルのみに対応した１つの屈折光学素子を配置し、緑（Ｇ）のサブピクセルに対しては屈折光学素子を配置しない構成としてもよい。
【００４７】
屈折光学素子５１に対向して、拡散性光学素子５３が配置されている。屈折光学素子５１から出射した光５４は拡散性光学素子５３へ照射される。拡散性光学素子５３に入射した光は、拡散性光学素子５３によって拡散される。
【００４８】
屈折光学素子５１の入射角をα、屈折角をβ、サブピクセル間のピッチをＰとすると、拡散性光学素子５３によって拡散された光が隣の画素同士で重ならないようにするために必要な屈折光学素子５１表面と拡散性光学素子５３の距離ｄは、入射角と屈折角の関係などから、以下の（３）式を満たせばよい。
【００４９】
【数２】
2009204930.tif 000004
【００５０】
上記のように屈折光学素子５１を備えることによって、色モアレを低減することができる。また、屈折光学素子５１を画素５０の表面に配置するだけでよいので、製造コストの上昇を抑えることができる。ガラス基板表面の加工や、金型によるモールド形成を行うことにより、本実施形態の屈折光学素子５１を、画素構造に合わせてアレー状に配置することが可能である。
【００５１】
（第５の実施形態）
次に、本発明の第５の実施形態を説明する。図６は、本実施形態による立体映像表示装置の構成を示している。図６ではレンズアレーの図示を省略している。また、図６では１つの画素に関する構造のみを図示している。画素６０に対向して、サブピクセル合成光学素子としての回折光学素子６１，６２，６３が配置されている。また、赤（Ｒ）のサブピクセルに回折光学素子６１が対応し、緑（Ｇ）のサブピクセルに回折光学素子６２が対応し、青（Ｂ）のサブピクセルに回折光学素子６３が対応している。
【００５２】
赤（Ｒ）のサブピクセルからの光は回折光学素子６１によって回折し、青（Ｂ）のサブピクセルからの光は回折光学素子６３によって回折し、緑（Ｇ）のサブピクセルからの光と共に光６４として、一定の広がりをもって回折光学素子６２に入射する。回折光学素子６１，６２，６３に対向して、拡散性光学素子６５が配置されている。回折光学素子６２から出射した光６６は拡散性光学素子６５へ照射される。拡散性光学素子６５に入射した光は、拡散性光学素子６５によって拡散される。
【００５３】
回折光学素子６２の長さをｌ、各サブピクセルからの波長をλ、回折格子の間隔をｔ1、回折角をθ1とすると、回折光学素子６２において各サブピクセルからの光６４が均等に重なり合うために必要な画素６０と回折光学素子６２との距離ｄ１は、回折格子の式よりsinθ1＝λ／ｔ1となることも考えると、以下の（４）式を満たせばよい。
【００５４】
【数３】
2009204930.tif 000005
【００５５】
また、サブピクセル間のピッチをＰ、画素間のピッチをＭ、回折光学素子６２の長さをｌ、各サブピクセルからの波長をλ、回折格子の間隔をｔ2、回折角をθ2とすると、拡散性光学素子６５において、隣の画素からの光が重ならないようにするために必要な回折光学素子６２と拡散性光学素子６５との距離ｄ2は、回折格子の式よりsinθ2＝λ／ｔ2となることも考えると、以下の（５）式を満たせばよい。
【００５６】
【数４】
2009204930.tif 000006
【００５７】
上記のように回折光学素子６１，６２，６３を備えることによって、色モアレを低減することができる。もちろん、回折光学素子６２のかわりに拡散性光学素子を用いてもよい。また、回折光学素子６１，６２，６３を配置するだけでよいので、製造コストの上昇を抑えることができる。例えば、回折光学素子６１，６３を表面に形成したガラス基板を画素６０の表面に配置し、そのガラス基板から所定距離だけ離れた位置に、回折光学素子６２を表面に形成したガラス基板を配置することによって、回折光学素子６１，６２，６３を配置することが可能である。
【００５８】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００５９】
【図１】本発明の各実施形態に共通する立体映像表示装置の構成を示す構成図である。
【図２】本発明の第１の実施形態による立体映像表示装置の構成を示す構成図である。
【図３】本発明の第２の実施形態による立体映像表示装置の構成を示す構成図である。
【図４】本発明の第３の実施形態による立体映像表示装置の構成を示す構成図である。
【図５】本発明の第４の実施形態による立体映像表示装置の構成を示す構成図である。
【図６】本発明の第５の実施形態による立体映像表示装置の構成を示す構成図である。
【図７】インテグラル立体映像表示の原理を示す参考図である。
【図８】インテグラル立体映像表示の原理を示す参考図である。
【図９】色モアレの発生原理を示す参考図である。
【図１０】サブピクセル合成光学素子としての凸レンズを有していない立体映像表示装置の構成を示す構成図である。
【符号の説明】
【００６０】
１０，２０，３０，４０，５０，６０，９０・・・画素、１１・・・サブピクセル合成光学素子、１３，２３，３３，４３，５３，６５・・・拡散性光学素子、１５，９１・・・レンズ、２１・・・筒状光学素子、３１・・・凸レンズ、４１・・・屈折率分布レンズ、５１・・・屈折光学素子、６１，６２，６３・・・回折光学素子
【図１】
2009204930.tif 000007
【図２】
2009204930.tif 000008
【図３】
2009204930.tif 000009
【図４】
2009204930.tif 000010
【図５】
2009204930.tif 000011
【図６】
2009204930.tif 000012
【図７】
2009204930.tif 000013
【図８】
2009204930.tif 000014
【図９】
2009204930.tif 000015
【図１０】
2009204930.tif 000016